【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
筒状の芯にテープを重ね巻きした巻きテープの巻尾部分が、使用者の手で引き出され、この引き出されたテープを、その巻きテープから切り離すためのテープカッターであり、このテープカッターを構成している要素は、巻きテープの外周側に装着される本体部と、この本体部に付帯の、巻きテープに対する方向を案内する方向案内用左側部分と方向案内用右側部分、後方側に巻きテープから供給されるテープの入口、前方側に供給されたテープの出口、前方側端部に引き出されたテープを切断する刃、巻きテープの外周面に接する入口側支点と出口側支点、そして、巻きテープへの装着状態を保つために、巻きテープの内周面を本体部側に押圧する支持用ばねである。このように構成されたテープカッターにおいて、その本体部の前方側部分の左右方向の幅を、巻きテープの幅よりも小さくしたことにより、巻尾部分を摘まもうとする指が通過できる指通過用空間を設けたテープカッター。
【請求項２】
筒状の芯にテープを重ね巻きした巻きテープの巻尾部分が、使用者の手で引き出され、この引き出されたテープがテープカッターで切断され、この切断による新たな巻尾部分が、巻きテープの外周面に復帰して付着することを阻止するために、その新たな巻尾部分と巻きテープの外周面との間に、隔離用突起左側部分と隔離用突起右側部分を配置し、これらを本体部に付帯した請求項１に記載のテープカッター。
【手続補正２】
【補正対象書類名】明細書
【補正対象項目名】０００１
【補正方法】変更
【補正の内容】
【０００１】
【発明の属する技術分野】
この発明は、筒状の芯にテープを重ね巻きした巻きテープの巻尾部分が、使用者の手で引き出され、この引き出されたテープを、その巻きテープから切り離すためのテープカッターに関する。


【手続補正３】
【補正対象書類名】明細書
【補正対象項目名】００１９
【補正方法】変更
【補正の内容】
【００１９】
支持用ばね例１(30)の構造は、単一素線のばね用線材を材料とし、おおむね方形の枠状となるように、本体部(20)の左右方向の幅に適合した長さの軸部分(31)、この軸部分(31)の一端に固定側腕部分(32)、他端に可動側腕部分(33)、そして、この可動側腕部分(33)の可動側端に可動側梁部分(34)を設けている。そして、この支持用ばね例１(30)の本体部(20)への取り付け形態は、軸部分(31)をばね受け用後端部分(27)に掛け止め、固定側腕部分(32)の先部分をばね掛け用側端部分(28)に掛け止めている。


【手続補正４】
【補正対象書類名】明細書
【補正対象項目名】００５１
【補正方法】変更
【補正の内容】
【００５１】
このように、テープカッターを使用する作業において、巻きテープ(11)から引き出したテープを切断する度に、従来例１(40)を後方へ移動させる操作が煩わしい。この不便が低作業能率の要因であり、これが問題である。


【手続補正５】
【補正対象書類名】明細書
【補正対象項目名】００５３
【補正方法】変更
【補正の内容】
【００５３】
このように、テープカッターを使用する作業における不便は、とくに頻繁な使用において問題である。


【手続補正６】
【補正対象書類名】明細書
【補正対象項目名】００５５
【補正方法】変更
【補正の内容】
【００５５】
【課題を解決するための手段】
上記の従来のテープカッターの使用時において、使用者が巻きテープの巻末端を引き出そうとするとき、巻尾部分を摘まむことの障害となっている部分は、本体部の前方側部分であり、この前方側部分の左右方向の幅を、その巻きテープの幅よりも小さくすることにより、その巻尾部分を摘まもうとする指が通過できる指通過用空間を設ける。


【手続補正７】
【補正対象書類名】明細書
【補正対象項目名】００５７
【補正方法】変更
【補正の内容】
【００５７】
発明実施例１(60)の構造は、上記の従来例１(40)において、使用者が、巻きテープ(11)の巻尾部分(12)を引き出そうとするとき、その巻尾部分(12)を摘まむことの障害となっていた本体部(20)の前方側部分(23)の左右方向の幅を、新たに、その巻きテープ(11)の幅よりも小さくしたことにより、その巻尾部分(12)を摘まもうとする指が通過できる指通過用空間(61)を設けたものであり、これを図１から図９までに示している。


【手続補正８】
【補正対象書類名】明細書
【補正対象項目名】００５９
【補正方法】変更
【補正の内容】
【００５９】
図１は、巻きテープ(11)に装着された発明実施例１(60)であり、巻きテープ(11)から引き出されたテープ(14)が切断されたことにより巻末端(13)となり、この巻末端(13)が刃(24)に付着している状態と、巻尾部分(12)が左手の指で摘ままれている状態を右後方から視た斜視図である。なお、この図１では、巻きテープ(11)と発明実施例１(60)を掴まえている右手の図示を省略している。


【手続補正９】
【補正対象書類名】明細書
【補正対象項目名】００６２
【補正方法】変更
【補正の内容】
【００６２】
図４は、巻きテープ(11)に装着された発明実施例１(60)であり、これらが右手で掴まえられている状態の例１を左前方から視た斜視図である。


【手続補正１０】
【補正対象書類名】明細書
【補正対象項目名】００６３
【補正方法】変更
【補正の内容】
【００６３】
図５は、巻きテープ(11)に装着された発明実施例１(60)であり、これらが右手で掴まえられている状態の例２を左前方から視た斜視図である。なお、巻きテープ(11)の大きさや使用する上での都合により、これら以外の掴み方になる場合もある。


【手続補正１１】
【補正対象書類名】明細書
【補正対象項目名】００６８
【補正方法】変更
【補正の内容】
【００６８】
発明実施例２(70)の構造は、上記の従来例２(50)において、使用者が、巻きテープ(11)の巻尾部分(12)を引き出そうとするとき、巻尾部分(12)を摘まむことの障害となっていた本体部(20)の前方側部分(23)の左右方向の幅を、新たに、その巻きテープ(11)の幅よりも小さくしたことにより、その巻尾部分(12)を摘まもうとする指が通過できる指通過用空間(61)を設けたものであり、これを図10から図14までに示している。


【手続補正１２】
【補正対象書類名】明細書
【補正対象項目名】００７６
【補正方法】変更
【補正の内容】
【００７６】
【発明の効果】
この発明は、課題を解決する手段として、使用者が、巻きテープの巻尾部分を引き出し、このテープを切断したことにより巻末端となり、この巻末端が刃に付着していても、次に、巻尾部分を引き出すとき、その巻尾部分を摘まみ易くするために、本体部の前方側部分の左右方向の幅を、巻きテープの幅よりも小さくしたしたことにより、その巻尾部分を摘まもうとする指が通過できる指通過用空間を設けた。この指通過用空間を設けたことにより、次に挙げるような効果が認められた。


【手続補正１３】
【補正対象書類名】明細書
【補正対象項目名】図面の簡単な説明
【補正方法】変更
【補正の内容】
【図面の簡単な説明】
【図１】巻きテープに装着された発明実施例１であり、巻きテープから引き出されたテープが切断されたことにより巻末端となり、この巻末端が刃に付着している状態と、巻尾部分が左手の指で摘ままれている状態を右後方から視た斜視図である。なお、この図１では、巻きテープと発明実施例１を掴まえている右手の図示を省略している。
【図４】巻きテープに装着された発明実施例１であり、これらが右手で掴まえられている状態の例１を左前方から視た斜視図である。
【図５】巻きテープに装着された発明実施例１であり、これらが右手で掴まえられている状態の例２を左前方から視た斜視図である。
【図２４】従来例１が図22の状態から後方へ移動させられた状態を示す断面図であり、巻きテープから引き出されたテープが切断されたことにより巻末端となり、この巻末端が刃に付着している状態、および、離脱した状態を３点鎖線で示している。
【図３１】従来例２が図29の状態から後方へ移動させられた状態を示す断面図であり、巻尾部分が隔離用突起左側部分と隔離用突起右側部分によって後方に薙ぎ倒された状態を３点鎖線で示している。


【手続補正１４】
【補正対象書類名】図面
【補正対象項目名】図１１
【補正方法】変更
【補正の内容】
【図１１】
1998081443.tif 000001
【手続補正１５】
【補正対象書類名】図面
【補正対象項目名】図２４
【補正方法】変更
【補正の内容】
【図２４】
1998081443.tif 000002